(57)【要約】【課題】アラーム発生の有無にかかわらず複数の中継装置を切りかえたい。【解決手段】第１中継部５４と第２中継部５６は、受信アンテナ５０において受信した受信した受信信号に対して中継処理を実行することによって、送信信号をそれぞれ出力する。測定部６４は、第１中継部５４と第２中継部５６のそれぞれから出力された複数の送信信号であって、かつ同一の受信信号からそれぞれ生成された複数の送信信号を入力する。測定部６４は、入力した複数の送信信号の品質を測定する。選択部６２は、測定部６４において測定した品質をもとに、複数の送信信号のうちのいずれかの選択を決定する。【選択図】図１
2007288625.tif 000002
【特許請求の範囲】
【請求項１】
複数の中継装置からそれぞれ出力された複数の送信信号であって、かつ同一の受信信号からそれぞれ生成された複数の送信信号を入力する入力部と、
前記入力部において入力した複数の送信信号の品質を測定する測定部と、
前記測定部において測定した品質をもとに、複数の送信信号のうちのいずれかの選択を決定する選択部と、
を備えることを特徴とする出力切替装置。
【請求項２】
複数の中継装置からそれぞれ出力された複数の送信信号であって、かつ同一の受信信号からそれぞれ生成された複数の送信信号のうちのいずれかの選択を決定する選択部と、
前記選択部において選択を決定した送信信号の品質を測定する測定部とを備え、
前記選択部は、前記測定部において測定した品質が悪化した場合に、選択すべき送信信号を切りかえることを特徴とする出力切替装置。
【請求項３】
複数の送信信号には、受信信号を送信した装置に付与された識別番号が含まれており、
前記選択部は、送信信号に含まれた識別番号を取得する手段と、取得した識別番号が中継の対象でない場合に、複数の送信信号に対する選択を中止する手段とを含むことを特徴とする請求項１または２に記載の出力切替装置。
【発明の詳細な説明】
【技術分野】
【０００１】
本発明は、出力切替装置に関し、特に複数の中継装置のうち、動作が実行される中継装置を選択する出力切替装置に関する。
【背景技術】
【０００２】
テレビジョン放送システム等の放送システムにおいては、放送局から電磁波として信号が送信される。受信機は、放送局から送信された信号を受信し、受信した信号から画像情報、音声情報等を取得する。放送局が送信する信号については、放送局が放送圏とする地域に存在する受信機において所定の品質の情報が得られるよう、送信電力、所望信号対妨害波比等の規定が定められている。しかしながら、放送局がその規定を満足する信号を送信したとしても、放送圏内において電磁波の障害物等が存在すると、受信機において受信される信号の電界強度が不十分となり、放送圏内において所定の品質の情報が得られない地域が生じる。そこで、このような品質劣化地域を減少させるため、放送局から送信された信号を受信し、増幅して送信する中継を行う中継装置が放送圏内に設置される（例えば、特許文献１参照）。
【特許文献１】特開２００５−４５７２８号公報
【発明の開示】
【発明が解決しようとする課題】
【０００３】
中継装置が故障すると、当該中継装置によって形成される放送圏内の受信機は、電磁波を受信できなくなり、画像情報等を再生できなくなる。このような障害の発生確率を低減するために、一般的にひとつの中継装置は、複数の中継装置によって冗長系を構成しており、冗長系に含まれた複数の中継装置のうちのいずれかを動作させている。このような冗長系では、複数の中継装置のアラームが監視され、アラームの発生をもとに中継装置の故障が検出されると、中継装置の切替がなされる。例えば、送信電力が低下した場合や発振器のロックがはずれた場合にアラームが発生される。
【０００４】
しかしながら、このような動作においては、故障時に必ずアラームが発生されることを前提にしており、アラームによって検出されない障害が中継装置に発生しても、中継装置の切替はなされない。例えば、アラームによって検出されない障害には、電波の質の低下や、本来中継すべきでない電波の中継があり、電波の質の低下には、信号に含まれる雑音成分の増加や、誤り率の悪化がある。また、このような動作を想定して中継装置には、アラーム回路が備えられるが、さまざまな故障を想定すると、複数のアラーム回路が必要になる。一方、中継装置の小型化、低コスト化の点からは、アラーム回路の数が少ない方が望ましく、また、アラーム回路が備えられていない中継装置をもとに、冗長系を構成したい場合もある。
【０００５】
本発明はこうした状況に鑑みてなされたものであり、その目的は、アラーム発生の有無にかかわらず複数の中継装置を切りかえる出力切替装置を提供することにある。
【課題を解決するための手段】
【０００６】
上記課題を解決するために、本発明のある態様の出力切替装置は、複数の中継装置からそれぞれ出力された複数の送信信号であって、かつ同一の受信信号からそれぞれ生成された複数の送信信号を入力する入力部と、入力部において入力した複数の送信信号の品質を測定する測定部と、測定部において測定した品質をもとに、複数の送信信号のうちのいずれかの選択を決定する選択部と、を備える。
【０００７】
この態様によると、複数の中継装置のそれぞれから出力された送信信号の品質を測定し、測定した品質に応じて選択すべき送信信号を決定するので、中継装置によるアラーム発生の有無にかかわらず複数の中継装置を切りかえることができる。
【０００８】
本発明の別の態様もまた、出力切替装置である。この装置は、複数の中継装置からそれぞれ出力された複数の送信信号であって、かつ同一の受信信号からそれぞれ生成された複数の送信信号のうちのいずれかの選択を決定する選択部と、選択部において選択を決定した送信信号の品質を測定する測定部とを備える。選択部は、測定部において測定した品質が悪化した場合に、選択すべき送信信号を切りかえる。
【０００９】
この態様によると、複数の中継装置のそれぞれから出力された送信信号のいずれかを選択し、選択した送信信号の品質に応じて選択すべき送信信号を切りかえるので、中継装置によるアラーム発生の有無にかかわらず複数の中継装置を切りかえることができる。
【００１０】
複数の送信信号には、受信信号を送信した装置に付与された識別番号が含まれており、選択部は、送信信号に含まれた識別番号を取得する手段と、取得した識別番号が中継の対象でない場合に、複数の送信信号に対する選択を中止する手段とを含んでもよい。この場合、送信信号に含まれた識別番号であって、かつ取得した識別番号が中継の対象でなければ、中継の処理を実行しないので、不要な信号の送信を回避できる。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、アラーム発生の有無にかかわらず複数の中継装置を切りかえることができる。
【発明を実施するための最良の形態】
【００１３】
本発明を具体的に説明する前に、概要を述べる。本発明の実施例は、放送局から電磁波として送信された信号を受信し、受信した信号を増幅してから送信する中継装置に関する。ここで、中継装置には、さらに複数の中継装置（以下、「中継部」という）が含まれている。複数の中継部のうちのひとつが実際に中継を実行し、別の中継部は中継を実行せずに冗長系の役割を有する。一般的に、予め定められたひとつの中継部にアラームが発生していなければ、当該中継部が選択され続けられる。また、当該中継部がアラームを発生すると、別の中継部が選択される。
【００１４】
しかしながら、アラームが発生されない場合であっても、当該中継部から出力される信号の品質が悪化していることもある。また、中継装置に入力される信号が、本来中継対象でない放送局から送信された信号である場合がある。例えば、中継対象である放送局や中継装置が夜間に放送休止によって送信を停止したときに、他局からの信号を受信する場合である。そのような場合に、中継装置がそのような信号を中継すると、干渉の原因となる可能性があるので、中継しない方が望ましい。本実施例は、以上の点を解決するために、以下の処理を実行する。
【００１５】
本実施例に係る中継装置に含まれた複数の中継部のそれぞれは、中継処理を並列に実行する。また、複数の中継部のそれぞれによって中継される信号の品質、例えばＭＥＲ（Ｍｏｄｕｌａｔｉｏｎ  Ｅｒｒｏｒ  Ｒａｔｉｏ）を測定することによって、最も特性のよいＭＥＲに対応した信号を出力している中継部が選択される。最終的に、中継装置は、選択された中継部からの信号を送信する。また、中継装置は、ＭＥＲを測定する際に、それらの信号に含まれた識別番号であって、かつ当該信号を最初に送信した放送局に付与された識別番号を確認する。確認した識別番号が中継すべき放送局に付与された識別番号でなければ、中継装置は、中継を中止する。
【００１６】
図１は、本発明の実施例に係る中継装置１００の構成を示す。中継装置１００は、受信アンテナ５０、分配部５２、第１中継部５４、第２中継部５６、出力切替部５８、送信アンテナ６０、制御部３０を含む。出力切替部５８は、選択部６２、測定部６４を含む。
【００１７】
受信アンテナ５０は、図示しない放送局から送信された信号、すなわち放送された電磁波を受信する。また、受信アンテナ５０は、図示しない別の中継装置から送信された信号を送信してもよい。その際、別の中継装置によって受信される信号の起点は、放送局である。受信アンテナ５０において受信した信号には、当該信号を送信した装置に付与された識別番号、例えば当該信号を送信した放送局に付与された識別番号が含まれている。また、受信した信号は、所定の無線周波数の搬送波にて伝送される。分配部５２は、受信アンテナ５０において受信した信号を第１中継部５４と第２中継部５６とに入力する。
【００１８】
第１中継部５４は、分配部５２から受け付けた信号に対して中継処理を実行することによって、送信すべき信号を生成する。第１中継部５４の構成の詳細は後述するが、第１中継部５４は、受け付けた信号の周波数を無線周波数から中間周波数に変換した後に、フィルタリングを実行する。さらに、第１中継部５４は、周波数を中間周波数から無線周波数に再び変換し、変換した信号を増幅してから出力する。
【００１９】
第２中継部５６は、第１中継部５４と同様に中継処理を実行する。ここで、第２中継部５６は、第１中継部５４と同様の処理を実行するように構成されてもよいが、内部に含まれる増幅器、フィルタの特性が第１中継部５４と異なってもよい。また、第２中継部５６は、第１中継部５４と異なるように構成されてもよい。例えば、第２中継部５６は、ベースバンドまでの周波数変換を実行することによって、ベースバンドでのフィルタリングを実行してもよい。ここでは、説明を簡潔に行うために、中継部としてふたつの中継部が含まれる場合を想定しているが、実際には、中継装置１００に３つ以上の中継部が含まれてもよい。
【００２０】
測定部６４は、第１中継部５４および第２中継部５６からそれぞれ出力された送信信号であって、かつ同一の受信信号からそれぞれ生成された複数の送信信号を入力する。また、測定部６４は、入力した複数の送信信号の品質をそれぞれ測定する。ここでは、送信信号の品質として、ＭＥＲが測定されるとする。しかしながら、測定部６４は、品質として、ＭＥＲの他に出力電力やＢＥＲ（Ｂｉｔ  Ｅｒｒｏｒ  Ｒａｔｅ）を測定してもよい。測定部６４は、ＭＥＲ、Ｃ／Ｎ、ＢＥＲ、電力のいずれかを測定してもよいし、これらに対して論理和演算が施された結果を測定結果として出力してもよい。ここで、出力電力が低下すると、放送可能なエリアが狭くなる。また、ＭＥＲやＢＥＲが悪化することは、ＩＭやＣ／Ｎが悪化することに相当し、そのような状態においても放送可能なエリアも狭くなる。なお、ＭＥＲ、ＢＥＲ、出力電力の測定のためには、公知の技術が使用されればよく、測定のために測定部６４は中間周波数帯やベースバンドへの周波数変換を実行してもよい。測定部６４における測定は、所定のタイミングに実行される。また、測定は、周期的に実行されてもよい。
【００２１】
選択部６２は、第１中継部５４および第２中継部５６からそれぞれ出力された送信信号を入力する。また、選択部６２は、測定部６４から、ふたつの送信信号に対する測定結果、例えば、ＭＥＲの値を入力する。選択部６２は、測定部６４において測定したＭＥＲをもとに、ふたつの送信信号のうちのいずれかの選択を決定する。具体的には、選択部６２は、ＭＥＲの値の高い方の送信信号の選択を決定する。また、選択部６２は、中継対象となる放送局、つまり中継すべき信号を最初に送信した放送局に付与された識別番号を保持する。
【００２２】
選択部６２は、入力した送信信号から、当該送信信号に含まれた識別番号を取得し、取得した識別番号と予め保持した識別番号とを比較する。両者が一致する場合に、選択部６２は、前述の選択を実行するが、両者が一致しない場合、つまり、取得した識別番号が中継の対象でない場合に、選択部６２は、複数の送信信号に対する選択を中止する。すなわち、出力を信号断とする。選択部６２における選択の処理は、所定のタイミング、例えば測定部６４から品質を受け付けたタイミングにおいて実行されてもよい。最終的に、選択部６２は、選択した送信信号を出力する。
【００２３】
送信アンテナ６０は、選択部６２において選択された送信信号を電磁波として送信する。制御部３０は、中継装置１００に含まれた各構成要素の処理、動作タイミング等を制御する。
【００２４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２５】
図２は、第１中継部５４の構成を示す。第１中継部５４は、受信フィルタ１２、受信増幅部１４、周波数変換器１６、周波数変換器２２、送信増幅部２４、送信フィルタ２６、ＡＧＣ（Ａｕｔｏｍａｔｉｃ  Ｇａｉｎ  Ｃｏｎｔｒｏｌ）４０、プリアンプ４２、局部発振器４４、局部発振器４６を含む。
【００２６】
受信フィルタ１２は、図示しない受信アンテナ５０において受信した信号に対して、複数のチャネル全体の帯域外の部分を減衰させる。受信増幅部１４は、受信フィルタ１２からの信号を増幅する。周波数変換器１６は、受信増幅部１４からの無線周波数帯域の信号を中間周波数帯域の信号に変換する。周波数変換器１６には、受信増幅部１４からの無線周波数帯域の信号の他、局部発振器４６からの局部発振器信号も入力される。周波数変換器１６は、無線周波数帯域の信号に局部発振器信号を乗じて無線周波数帯域の信号を中間周波数帯域の信号に変換する。
【００２７】
ＡＧＣ４０は、中間周波数帯域の信号に対して、振幅あるいは電力が所定の値に近づくように調節を行い、調節した中間周波数帯域の信号を出力する。ここで、ＡＧＣの構成は、公知の技術でよいので、説明を省略する。局部発振器４４は、局部発振器４６と同様に局部発振信号を出力する。ここで、局部発振器４４から出力される局部発振信号の周波数と、局部発振器４６から出力される局部発振信号の周波数とは、異なった値を有する。
【００２８】
周波数変換器２２は、中間周波数帯域の信号を無線周波数帯域の信号に変換する。周波数変換器２２は、ＡＧＣ４０からの中間周波数帯域の信号に、局部発振器４４からの局部発振器信号を乗じて中間周波数帯域の信号を無線周波数帯域の信号に変換する。
【００２９】
なお、周波数変換器２２によって変換された信号の無線周波数帯域と、受信アンテナ５０において入力された信号の無線周波数帯域が、同等であれば、両者の間において回り込み波が生じる。そのため、第１中継部５４には、図示しない回り込みキャンセラが備えられていてもよい。ここで、回り込みキャンセラは公知の技術によって実現されるので、説明を省略する。プリアンプ４２、送信増幅部２４は、無線周波数帯域の信号を増幅し、送信フィルタ２６に入力する。送信フィルタ２６は、入力された信号の無線周波数帯域外に含まれるイメージ信号、送信増幅部２４の非線形性による高調波成分信号等を減衰してから出力する。ここで、第１中継部５４および第２中継部５６は、ＭＦＮ（Ｍｕｌｔｉ  Ｆｒｅａｑｕｅｎｃｙ  Ｎｅｔｗｏｒｋ）中継方式、ＳＦＮ（Ｓｉｎｇｌｅ  Ｆｒｅａｑｕｅｎｃｙ  Ｎｅｔｗｏｒｋ）中継方式のいずれに対応していてもよく、また前段の中継方式がマイクロ波帯を使用した中継方式であってもよい。
【００３０】
以上の構成による中継装置１００の動作を説明する。図３は、出力切替部５８における切替手順を示すフローチャートである。測定部６４は、第１中継部５４および第２中継部５６のそれぞれからの信号入力を検出する（Ｓ１０）。測定部６４は、ＭＥＲを測定し（Ｓ１２）、選択部６２は、測定結果に応じて、一方の送信信号を選択する（Ｓ１４）。選択部６２は、選択した送信信号に含まれた識別番号を確認し、当該送信信号が中継対象であれば（Ｓ１６のＹ）、選択部６２は、中継を実行する（Ｓ１８）。一方、当該送信信号が中継対象でなければ（Ｓ１６のＮ）、選択部６２は、中継を中止する（Ｓ２０）。信号が継続してれば（Ｓ２２のＹ）、ステップ１０に戻るが、信号が継続していなければ（Ｓ２２のＮ）、処理を終了する。なお、選択部６２が、ステップ１６からステップ２０を実行した後に、測定部６４と選択部６２とが、ステップ１２とステップ１４とを実行してもよい。つまり、選択部６２が、識別番号のチェックを行った後に、測定部６４がＭＥＲの測定を行い、選択部６２が送信信号の選択を実行してもよい。この場合、先に識別番号のチェックを実行することによって、送信を中断した後にＭＥＲが測定されるので、不要な電波の送信を低減できる。
【００３１】
以下、中継装置１００の変形例を説明する。変形例では、実施例よりも回路規模をさらに削減することを目的とする。図４は、変形例に係る中継装置１００の構成を示す。中継装置１００に含まれた構成要素は、図１での中継装置１００に含まれた構成要素と同様である。しかしながら、図４に示された出力切替部５８の構成が、図１に示された出力切替部５８の構成と異なる。
【００３２】
選択部６２は、第１中継部５４と第２中継部５６からそれぞれ出力された送信信号であって、かつ同一の受信信号からそれぞれ生成された送信信号のうちのいずれかの選択を決定する。選択部６２は、図１での選択部６２と同様に、測定部６４での測定結果をもとに、選択を実行する。なお、測定部６４からの測定結果を入力していないような最初の状態において、選択部６２は、予め定めた送信信号を選択する。例えば、選択部６２は、第１中継部５４から出力された送信信号を選択する。また、選択部６２は、図１での選択部６２と同様に、送信信号に含まれた識別番号を確認し、当該送信信号を中継すべきか否かを判定する。
【００３３】
測定部６４は、選択部６２において選択を決定した送信信号の品質を測定する。測定部６４は、図１での測定部６４と同様に、送信信号のＭＥＲを測定する。図１の測定部６４は、第１中継部５４からの送信信号と第２中継部５６からの送信信号とのそれぞれに対して、ＭＥＲを測定している。つまり、ふたつの送信信号に対するＭＥＲの測定が行われている。しかしながら、図４の測定部６４は、選択部６２からの送信信号に対して、ＭＥＲを測定しており、ひとつの送信信号に対するＭＥＲの測定が行われている。そのため、図４の測定部６４での処理量は、図１の測定部６４での処理量よりも少なくなり、回路規模も小さくなる。選択部６２は、予めしきい値を保持しており、測定部６４において測定したＭＥＲの値がしきい値よりも悪化した場合に、選択すべき送信信号を切りかえる。
【００３４】
図５は、出力切替部５８における切替手順を示すフローチャートである。選択部６２は、第１中継部５４および第２中継部５６のそれぞれからの信号入力を検出する（Ｓ４０）。選択部６２は、一方の送信信号を選択する（Ｓ４２）。選択部６２は、選択した送信信号に含まれた識別番号を確認し、当該送信信号が中継対象であれば（Ｓ４４のＹ）、選択部６２は、中継を実行する（Ｓ４６）。一方、当該送信信号が中継対象でなければ（Ｓ４４のＮ）、選択部６２は、中継を中止する（Ｓ４８）。
【００３５】
測定部６４は、ＭＥＲを測定する（Ｓ５０）。測定したＭＥＲの値がしきい値よりも良好であれば（Ｓ５２のＹ）、選択部６２は、選択対象の切替を実行しないが、測定したＭＥＲの値がしきい値よりも良好でなければ（Ｓ５２のＮ）、選択部６２は、選択対象の切替を実行する（Ｓ５４）。信号が継続してれば（Ｓ５６のＹ）、ステップ４０に戻るが、信号が継続していなければ（Ｓ５６のＮ）、処理を終了する。
【００３６】
本発明の実施例によれば、複数の中継部のそれぞれから出力された送信信号のＭＥＲを測定し、測定したＭＥＲの値に応じて選択すべき送信信号を決定するので、中継部によるアラーム発生の有無にかかわらず複数の中継部を切りかえることができる。また、送信信号のＭＥＲの値をもとに選択を実行するので、アラームが発生していない場合であっても、送信信号の品質の悪化を検出できる。また、送信信号の品質の悪化を検出し、送信信号の選択を行うので、品質の高い送信信号を送信できる。
【００３７】
また、評価基準としてＭＥＲを使用するので、Ｃ／Ｎに対応した基準によって、送信信号の切替を実行できる。また、アラーム発生の有無にかかわらず送信信号の切替を実行するので、アラームを生成する機能が中継部に備えられなくても、そのような中継部によって冗長系を構成できる。また、送信信号に含まれた識別番号であって、かつ取得した識別番号が中継の対象でなければ、中継の処理を実行しないので、不要な信号の送信を回避できる。また、不要な信号の送信を回避するので、放送エリアにおける干渉を低減できる。
【００３８】
また、複数の中継部のそれぞれから出力された送信信号のいずれかを選択し、選択した送信信号の品質に応じて選択すべき送信信号を切りかえるので、中継部によるアラーム発生の有無にかかわらず複数の中継部を切りかえることができる。また、選択した送信信号に対して品質を測定するので、測定の処理量を低減できる。また、測定部の回路規模を低減できる。
【００３９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４０】
本発明の実施例において、第１中継部５４と第２中継部５６は、ひとつの中継装置１００に含まれている。しかしながらこれに限らず例えば、第１中継部５４と第２中継部５６は、それぞれ別の装置として構成され、それらに対して外付けの形で出力切替部５８を接続することによって、中継装置１００が構成されてもよい。本変形例によれば、既に用意されている第１中継部５４と第２中継部５６によって、冗長系を構成できる。
【００４１】
本発明の実施例において、第１中継部５４と第２中継部５６は、アラームを発生しない。しかしながらこれに限らず例えば、第１中継部５４と第２中継部５６は、アラームを発生してもよい。その場合、アラームは、出力切替部５８に入力され、出力切替部５８は、アラームにしたがった選択を実行してもよい。本変形例によれば、出力切替部５８は、測定した品質にもとづいた切替に加えて、アラームにもとづいた切替を実行するので、切替の精度を向上できる。
【００４２】
本発明の実施例において、選択部６２は、入力した送信信号に含まれた識別番号と、予め保持した識別番号とが異なる場合に、入力した送信信号に対する選択動作を実行せずに、送信を停止している。しかしながらこれに限らず例えば、選択部６２は、入力した送信信号の品質が悪化している場合に、入力した送信信号に対する選択動作を実行せず、送信を停止してもよい。具体的には、ＭＥＲの値がしきい値よりも悪化している場合に、選択部６２は、送信を停止する。本変形例によれば、品質が悪化している信号の送信を停止するので、不要な信号の送信を回避できる。また、ＳＦＮの場合に難視となるエリアを小さくできる。
【００４３】
本発明の実施例において、第１中継部５４と第２中継部５６は、定常的に中継動作を実行している。しかしながらこれに限らず例えば、第１中継部５４と第２中継部５６のうち、選択部６２によって選択されてない方が、コールドスタンバイの状態になっていてもよい。コールドスタンバイとは、送信増幅部２４などの構成要素の一部に対して電源が切断されている状態である。選択されていない中継部がコールドスタンバイ状態である場合に、選択部６２は、切替を行う前に、選択されていない中継部に対して、電源を起動させるための起動信号を出力してもよい。本変形例によれば、コールドスタンバイ状態であっても、本発明を適用できる。
【図面の簡単な説明】
【００４４】
【図１】本発明の実施例に係る中継装置の構成を示す図である。
【図２】図１の第１中継部の構成を示す図である。
【図３】図１の出力切替部における切替手順を示すフローチャートである。
【図４】図１の変形例に係る中継装置の構成を示す図である。
【図５】図４の出力切替部における切替手順を示すフローチャートである。
【符号の説明】
【００４５】
３０  制御部、  ５０  受信アンテナ、  ５２  分配部、  ５４  第１中継部、  ５６  第２中継部、  ５８  出力切替部、  ６０  送信アンテナ、  ６２  選択部、  ６４  測定部、  １００  中継装置。
【図１】
2007288625.tif 000003
【図２】
2007288625.tif 000004
【図３】
2007288625.tif 000005
【図４】
2007288625.tif 000006
【図５】
2007288625.tif 000007